(57)【要約】  【課題】  記録中にスロー録画や早送り録画をしておくことにより、通常再生時にスローキーや早送りキーを操作することなく、スロー再生や早送り再生を行うことができる情報記録再生装置を提供する。  【解決手段】  記録中にスローキー１１ａを押下すると、スロー再生の対象となる映像データがバッファメモリ６に一旦格納され、その後、記録媒体１０に記録される。この記録媒体１０に記録された映像データを再生していき、スロー再生したい映像が現われると、その映像がスロー再生される。記録中に早送りキー１１ｂを押下すると、早送り再生の対象となる映像データがバッファメモリ６に一旦格納され、その後、記録媒体１０に記録される。この記録媒体１０に記録された映像データを再生していき、早送り再生したい映像が現われると、その映像が早送り再生される。【選択図】      図１
2006040395.tif 000002
【特許請求の範囲】
【請求項１】
記録媒体に対して情報の記録／再生を行う情報記録再生装置において、再生時にてスロ
ー再生したい映像を記録中に指定するためのスローキーの押下中にポインタが指定するバ
ッファメモリのアドレスに１フレーム分の映像データを順次書き込んでいく映像データ書
込み手段と、予め設定されたスロー再生時の再生速度に応じた前記バッファメモリのアド
レスを飛ばして前記ポインタがアドレスを指定するように前記ポインタの数値を順次加算
していくポインタ加算手段と、前記飛ばされた空きアドレスに該空きアドレスの直前のア
ドレスの１フレーム分の映像データを順次コピーするコピー手段と、前記映像データ書込
み手段および前記コピー手段により前記バッファメモリに格納された映像データを前記記
録媒体に記録する記録処理手段とを有するシステムコントローラを備えたことを特徴とす
る情報記録再生装置。
【請求項２】
記録媒体に対して情報の記録／再生を行う情報記録再生装置において、再生時にて早送
り再生したい映像を記録中に指定するための早送りキーの押下中にポインタが指定するバ
ッファメモリのアドレスに１フレーム分の映像データを順次書き込んでいく映像データ書
込み手段と、予め設定された早送り再生時の再生速度に応じた所定フレーム数分の映像デ
ータを飛ばして前記バッファメモリのアドレスに映像データを順次書き込んでいくように
前記映像データ書込み手段を制御する書込み制御手段と、前記バッファメモリに格納され
た映像データを前記記録媒体に記録する記録処理手段とを有するシステムコントローラを
備えたことを特徴とする情報記録再生装置。
【請求項３】
記録媒体に対して情報の記録／再生を行う情報記録再生装置において、再生時にてスロ
ー再生したい映像を記録中に指定するためのスローキーの押下中に、スロー再生の対象と
なる映像データをバッファメモリに一旦格納し、その後、前記バッファメモリの映像デー
タを前記記録媒体に記録する制御を行うシステムコントローラを備えたことを特徴とする
情報記録再生装置。
【請求項４】
記録媒体に対して情報の記録／再生を行う情報記録再生装置において、再生時にて早送
り再生したい映像を記録中に指定するための早送りキーの押下中に、早送り再生の対象と
なる映像データをバッファメモリに一旦格納し、その後、前記バッファメモリの映像デー
タを前記記録媒体に記録する制御を行うシステムコントローラを備えたことを特徴とする
情報記録再生装置。
【請求項５】
前記システムコントローラは、再生時にてスロー再生したい映像を記録中に指定するた
めのスローキーの押下中にポインタが指定するバッファメモリのアドレスに１フレーム分
の映像データを順次書き込んでいく映像データ書込み手段と、予め設定されたスロー再生
時の再生速度に応じた前記バッファメモリのアドレスを飛ばして前記ポインタがアドレス
を指定するように前記ポインタの数値を順次加算していくポインタ加算手段と、前記飛ば
された空きアドレスに該空きアドレスの直前のアドレスの１フレーム分の映像データを順
次コピーするコピー手段と、前記映像データ書込み手段および前記コピー手段により前記
バッファメモリに格納された映像データを前記記録媒体に記録する記録処理手段とを有す
ることを特徴とする請求項３に記載の情報記録再生装置。
【請求項６】
前記システムコントローラは、記録媒体に対して情報の記録／再生を行う情報記録再生
装置において、再生時にて早送り再生したい映像を記録中に指定するための早送りキーの
押下中にポインタが指定するバッファメモリのアドレスに１フレーム分の映像データを順
次書き込んでいく映像データ書込み手段と、予め設定された早送り再生時の再生速度に応
じた所定フレーム数分の映像データを飛ばして前記バッファメモリのアドレスに映像デー
タを順次書き込んでいくように前記映像データ書込み手段を制御する書込み制御手段と、
前記バッファメモリに格納された映像データを前記記録媒体に記録する記録処理手段とを
有することを特徴とする請求項４に記載の情報記録再生装置。
【発明の詳細な説明】
【技術分野】
【０００１】
本発明は、光ディスクに対して情報の記録／再生を行う光ディスク記録再生装置や、磁
気テープに対して情報の記録／再生を行う磁気記録再生装置など、記録媒体に対して情報
の記録／再生を行う情報記録再生装置に関し、特に、スロー再生および早送り再生の機能
を有する情報記録再生装置に関する。
【背景技術】
【０００２】
従来から光ディスク記録再生装置や磁気記録再生装置などの情報記録再生装置では、ス
ロー再生を行うためのスローキー、および早送り再生を行うための早送りキーなどが備え
られており、再生キーを押下して再生を開始させ、この再生中にスロー再生したい映像が
現れた時、スローキーを押下すると、その時点からの映像がスロー再生され、そして、ス
ロー再生を止めたい映像が現われた時、再生キーを押下すると、本来の再生速度で通常再
生されるようになっている。また、再生中に早送り再生したい映像が現れた時、早送りキ
ーを押下すると、その時点からの映像が早送り再生され、そして、早送り再生を止めたい
映像が現われた時、再生キーを押下すると、本来の再生速度で通常再生されることになる
。
【特許文献１】特開平７−２３６１１４号公報
【発明の開示】
【発明が解決しようとする課題】
【０００３】
しかしながら、従来の情報記録再生装置では、再生中にスロー再生や早送り再生する場
合、スローキーや早送りキーを操作して行われるが、ユーザが前もってスロー再生や早送
り再生したい映像が分っている場合でも、その映像が現われた時にスローキーや早送りキ
ーを操作しなければならないので、キー操作が面倒であると言う課題が生じる。
【０００４】
なお、特許文献１の従来技術は、画質を実質的に劣化させることなく、映像信号の録画
速度と再生速度とを制御することにより、映像の編集時間を短縮するようにしているが、
記録中にスロー録画や早送り録画を行う処理については開示されていない。
【０００５】
本発明は、上記のような課題を解決するためになされたもので、記録中にスロー録画や
早送り録画をしておくことにより、通常再生時にスローキーや早送りキーを操作すること
なく、スロー再生や早送り再生を行うことができる情報記録再生装置を提供することを目
的とする。
【課題を解決するための手段】
【０００６】
上記目的を達成するために、請求項１の発明は、再生時にてスロー再生したい映像を記
録中に指定するためのスローキーの押下中にポインタが指定するバッファメモリのアドレ
スに１フレーム分の映像データを順次書き込んでいく映像データ書込み手段と、予め設定
されたスロー再生時の再生速度に応じた前記バッファメモリのアドレスを飛ばして前記ポ
インタがアドレスを指定するように前記ポインタの数値を順次加算していくポインタ加算
手段と、前記飛ばされた空きアドレスに該空きアドレスの直前のアドレスの１フレーム分
の映像データを順次コピーするコピー手段と、前記映像データ書込み手段および前記コピ
ー手段により前記バッファメモリに格納された映像データを前記記録媒体に記録する記録
処理手段とを有するシステムコントローラを備えたことを特徴とする情報記録再生装置を
提供する。
【０００７】
この構成において、記録中にスローキーを押下し、押下中にポインタが指定するバッフ
ァメモリのアドレスにスロー録画対象の１番目の１フレーム分の映像データが映像データ
書込み手段により書き込まれる。次に、ポインタ加算手段によりポインタの数値が、予め
設定されたスロー再生時の再生速度になるように所定個数分のアドレスを飛ばして指定で
きるように加算される。したがって、２番目の１フレーム分の映像データは、前記所定個
数分のアドレスを飛ばした所にあるバッファメモリのアドレスに書き込まれる。３番目以
降の映像データも、同様にして前記所定個数分のアドレスを飛ばした所にあるバッファメ
モリのアドレスに書き込まれる。そして、所定個数分のアドレスが飛ばされた領域は、空
きアドレスになるので、この空きアドレスに直前のアドレスの映像データをコピー手段に
よりコピーする。このようにして、バッファメモリに格納された映像データは記録処理手
段により記録媒体に記録される。この後、この記録媒体を再生すると、記録中にスローキ
ーを押下してスロー録画した部分の映像はスロー再生されることになる。
【０００８】
この構成によれば、記録中にスロー再生したい映像が現われた場合、記録中にスローキ
ーを操作すると、その映像データはスロー状態で記録媒体に記録されるので、再生時には
、スローキーを操作することなく、スロー再生を行うことができ、ユーザにとっては使い
勝手が良くなる。
【０００９】
請求項２の発明は、再生時にて早送り再生したい映像を記録中に指定するための早送り
キーの押下中にポインタが指定するバッファメモリのアドレスに１フレーム分の映像デー
タを順次書き込んでいく映像データ書込み手段と、予め設定された早送り再生時の再生速
度に応じた所定フレーム数分の映像データを飛ばして前記バッファメモリのアドレスに映
像データを順次書き込んでいくように前記映像データ書込み手段を制御する書込み制御手
段と、前記バッファメモリに格納された映像データを前記記録媒体に記録する記録処理手
段とを有するシステムコントローラを備えたことを特徴とする情報記録再生装置を提供す
る。
【００１０】
この構成において、記録中に早送りキーを押下し、押下中にポインタが指定するバッフ
ァメモリのアドレスに早送り録画対象の１番目の１フレーム分の映像データが映像データ
書込み手段により書き込まれる。次に、映像データ書込み手段は、書込み制御手段により
制御され、予め設定された早送り再生時の再生速度に応じた所定フレーム数分の映像デー
タを飛ばして、映像データをバッファメモリのアドレスに映像データを順次書き込む。こ
のようにして、バッファメモリに格納された映像データは記録処理手段により記録媒体に
記録される。この後、この記録媒体を再生すると、記録中に早送りキーが押下されて早送
り録画した部分の映像は早送り再生されることになる。
【００１１】
この構成によれば、記録中に早送り再生したい映像が現われた場合は、記録中に早送り
キーを操作すると、その映像データは早送り状態で記録媒体に記録されるので、再生時に
は、早送りキーを操作することなく、早送り再生を行うことができ、ユーザにとっては使
い勝手が良くなる。
【００１２】
請求項３の発明は、再生時にてスロー再生したい映像を記録中に指定するためのスロー
キーの押下中に、スロー再生の対象となる映像データをバッファメモリに一旦格納し、そ
の後、前記バッファメモリの映像データを記録媒体に記録する制御を行うシステムコント
ローラを備えたことを特徴とする情報記録再生装置を提供する。
【００１３】
この構成において、記録中にスローキーを押下し、押下中に、スロー再生の対象となる
映像データがバッファメモリに一旦格納され、その後、前記バッファメモリの映像データ
が記録媒体に記録される。
【００１４】
この構成によれば、記録中にスロー再生したい映像が現われた場合は、記録中にスロー
キーを操作すると、その映像データはスロー状態で記録媒体に記録されるので、再生時に
は、スローキーを操作することなく、スロー再生を行うことができ、ユーザにとっては使
い勝手が良くなる。
【００１５】
請求項４の発明は、再生時にて早送り再生したい映像を記録中に指定するための早送り
キーの押下中に、早送り再生の対象となる映像データをバッファメモリに一旦格納し、そ
の後、前記バッファメモリの映像データを記録媒体に記録する制御を行うシステムコント
ローラを備えたことを特徴とする情報記録再生装置を提供する。
【００１６】
この構成において、記録中に早送りキーを押下し、押下中に、早送り再生の対象となる
映像データがバッファメモリに一旦格納され、その後、前記バッファメモリの映像データ
が記録媒体に記録される。このようにして、バッファメモリに格納された映像データは記
録処理手段により記録媒体に記録される。この後、この記録媒体を再生すると、記録中に
早送りキーが押下されて早送り録画した部分の映像は早送り再生されることになる。
【００１７】
この構成によれば、記録中に早送り再生したい映像が現われた場合は、記録中に早送り
キーを操作すると、その映像データは早送り状態で記録媒体に記録されるので、再生時に
は、早送りキーを操作することなく、早送り再生を行うことができ、ユーザにとっては使
い勝手が良くなる。
【００１８】
請求項５の発明では、請求項３の発明において、前記システムコントローラは、再生時
にてスロー再生したい映像を記録中に指定するためのスローキーの押下中にポインタが指
定するバッファメモリのアドレスに１フレーム分の映像データを順次書き込んでいく映像
データ書込み手段と、予め設定されたスロー再生時の再生速度に応じた前記バッファメモ
リのアドレスを飛ばして前記ポインタがアドレスを指定するように前記ポインタの数値を
順次加算していくポインタ加算手段と、前記飛ばされた空きアドレスに該空きアドレスの
直前のアドレスの１フレーム分の映像データを順次コピーするコピー手段と、前記映像デ
ータ書込み手段および前記コピー手段により前記バッファメモリに格納された映像データ
を前記記録媒体に記録する記録処理手段とを有するので、記録中にスローキーを押下して
、スロー録画した部分の映像をスロー再生することが可能になる。
【００１９】
請求項６の発明では、請求項４の発明において、前記システムコントローラは、再生時
にて早送り再生したい映像を記録中に指定するための早送りキーの押下中にポインタが指
定するバッファメモリのアドレスに１フレーム分の映像データを順次書き込んでいく映像
データ書込み手段と、予め設定された早送り再生時の再生速度に応じた所定フレーム数分
の映像データを飛ばして前記バッファメモリのアドレスに映像データを順次書き込んでい
くように前記映像データ書込み手段を制御する書込み制御手段と、前記バッファメモリに
格納された映像データを記録媒体に記録する記録処理手段とを有するので、記録中に早送
りキーを押下して、早送り録画した部分の映像を早送り再生することが可能になる。
【発明の効果】
【００２０】
以上のように本発明によれば、再生時にてスロー再生したい映像を記録中に指定するた
めのスローキーの押下中にポインタが指定するバッファメモリのアドレスに１フレーム分
の映像データを順次書き込んでいく映像データ書込み手段と、予め設定されたスロー再生
時の再生速度に応じた前記バッファメモリのアドレスを飛ばして前記ポインタがアドレス
を指定するように前記ポインタの数値を順次加算していくポインタ加算手段と、前記飛ば
された空きアドレスに該空きアドレスの直前のアドレスの１フレーム分の映像データを順
次コピーするコピー手段と、前記映像データ書込み手段および前記コピー手段により前記
バッファメモリに格納された映像データを前記記録媒体に記録する記録処理手段とを有す
るシステムコントローラを備えたので、ユーザが記録時に前もってスロー再生したい映像
が分っている場合、あるいはスロー再生したい映像が現われた場合は、記録中にスローキ
ーを操作すると、その映像データはスロー状態で記録媒体に記録でき、したがって、再生
時には、スローキーを操作することなく、スロー再生を行うことができ、ユーザにとって
は使い勝手が良くなる。
【００２１】
また、本発明によれば、再生時にて早送り再生したい映像を記録中に指定するための早
送りキーの押下中にポインタが指定するバッファメモリのアドレスに１フレーム分の映像
データを順次書き込んでいく映像データ書込み手段と、予め設定された早送り再生時の再
生速度に応じた所定フレーム数分の映像データを飛ばして前記バッファメモリのアドレス
に映像データを順次書き込んでいくように前記映像データ書込み手段を制御する書込み制
御手段と、前記バッファメモリに格納された映像データを前記記録媒体に記録する記録処
理手段とを有するシステムコントローラを備えたので、ユーザが記録時に前もって早送り
再生したい映像が分っている場合、あるいは早送り再生したい映像が現われた場合は、記
録中に早送りキーを操作すると、その映像データは早送り状態で記録媒体に記録でき、し
たがって、再生時には、早送りキーを操作することなく、早送り再生を行うことができ、
ユーザにとっては使い勝手が良くなる。
【００２２】
また、本発明によれば、再生時にてスロー再生したい映像を記録中に指定するためのス
ローキーの押下中に、スロー再生の対象となる映像データをバッファメモリに一旦格納し
、その後、前記バッファメモリの映像データを記録媒体に記録する制御を行うシステムコ
ントローラを備えたので、ユーザが記録時に前もってスロー再生したい映像が分っている
場合、あるいはスロー再生したい映像が現われた場合は、記録中にスローキーを操作する
と、その映像データはスロー状態で記録媒体に記録でき、したがって、再生時には、スロ
ーキーを操作することなく、スロー再生を行うことができ、ユーザにとっては使い勝手が
良くなる。
【００２３】
また、本発明によれば、再生時にて早送り再生したい映像を記録中に指定するための早
送りキーの押下中に、早送り再生の対象となる映像データをバッファメモリに一旦格納し
、その後、前記バッファメモリの映像データを記録媒体に記録する制御を行うシステムコ
ントローラを備えたので、ユーザが記録時に前もって早送り再生したい映像が分っている
場合、あるいは早送り再生したい映像が現われた場合は、記録中に早送りキーを操作する
と、その映像データは早送り状態で記録媒体に記録でき、したがって、再生時には、早送
りキーを操作することなく、早送り再生を行うことができ、ユーザにとっては使い勝手が
良くなる。
【発明を実施するための最良の形態】
【００２４】
以下、添付図面を参照しつつ、本発明の実施の形態について説明する。図１は本発明の
一実施形態に係る情報記録再生装置の構成を示すブロック図である。
【００２５】
この情報記録再生装置は、テレビジョンの放送信号を受信するアンテナ１、このアンテ
ナ１で受信した放送信号から所望の放送信号を取り出して出力するチューナー２と、この
チューナー２からの放送信号に含まれる映像信号を取り出して出力する映像検波回路３と
、同じくチューナー２からの放送信号に含まれる音声信号を取り出して出力する音声検波
回路４と、映像検波回路３からの映像信号および音声検波回路４からの音声信号を入力し
て所定の処理を行い映像データおよび音声データとして記録媒体１０に記録する記録部５
と、記録媒体１０から映像データおよび音声データを読み出して所定の処理を行い映像信
号および音声信号を再生する再生部９と、スロー録画や早送り録画の処理に用いられるバ
ッファメモリ６と、このバッファメモリ６のアドレスを指定するポインタ８と、装置全体
を制御するシステムコントローラ７と、リモコンなどの操作部１１とを備えている。
【００２６】
特に、システムコントローラ７は、スロー録画の処理に必要な構成要素として、再生時
にてスロー再生したい映像を記録中に指定するための操作部１１のスローキー１１ａの押
下中にポインタ８が指定するバッファメモリ６のアドレスに１フレーム分の映像データを
順次書き込んでいく映像データ書込み手段７１と、予め設定されたスロー再生時の再生速
度に応じたバッファメモリ６のアドレスを飛ばしてポインタ８がアドレスを指定するよう
にポインタ８の数値を順次加算していくポインタ加算手段７２と、前記飛ばされた空きア
ドレスに該空きアドレスの直前のアドレスの１フレーム分の映像データを順次コピーする
コピー手段７３と、映像データ書込み手段７１およびコピー手段７３によりバッファメモ
リ６に格納された映像データを記録媒体１０に記録する記録処理手段７５とを有する。
【００２７】
また、システムコントローラ７は、早送り録画の処理に必要な構成要素として、再生時
にて早送り再生したい映像を記録中に指定するための操作部１１の早送りキー１１ｂの押
下中にポインタ８が指定するバッファメモリ６のアドレスに１フレーム分の映像データを
順次書き込んでいく前記映像データ書込み手段７１と、予め設定された早送り再生時の再
生速度に応じた所定フレーム数分の映像データを飛ばしてバッファメモリ６のアドレスに
映像データを順次書き込んでいくように前記映像データ書込み手段７１を制御する書込み
制御手段７４と、バッファメモリ６に格納された映像データを記録媒体９に記録する前記
記録処理手段７５とを有する。
【００２８】
なお、この情報記録再生装置が光ディスク記録再生装置であれば、記録媒体１０は光デ
ィスクであり、記録部５は、各構成要素の図示を省略するが、映像検波回路３からの映像
信号および音声検波回路４からの音声信号を光ディスクに記録するために変調をかける記
録データ変調回路と、この記録データ変調回路により変調された変調データに基づいて光
ピックアップから出射するレーザ光を変調させるためのレーザ変調信号を光ピックアップ
に出力するレーザ変調回路とを備えている。
【００２９】
また、光ディスク記録再生装置である場合の再生部９は、各構成要素の図示を省略する
が、光ディスクの再生時に光ピックアップからの読取信号であるＲＦ信号を増幅するＲＦ
アンプと、このＲＦアンプから出力されたＲＦ信号をデジタルデータに変換した後に光デ
ィスクのデータフォーマットに応じた信号復調処理と誤り訂正処理を行うデジタル信号処
理部と、システムコントローラ７の指示に応じてデジタル信号処理部から出力されたデー
タストリームの中から音声データとサブピクチャデータと映像データとを分離するストリ
ーム分離部と、このストリーム分離部から出力された音声データを入力して所定のデコー
ド処理を行うオーディオデコーダと、ストリーム分離部から出力されたサブピクチャデー
タを入力して所定のデコード処理を行うサブピクチャデコーダと、ストリーム分離部から
出力された映像データを入力して所定のデコード処理を行うビデオデコーダとを備えてい
る。
【００３０】
また、再生部９は、システムコントローラ７の指示に応じてビデオデコーダから出力さ
れた映像データとサブピクチャデコーダから出力されたサブ映像データとを合成するビデ
オプロセッサと、このビデオプロセッサから出力された合成データを表示用の映像信号に
変換して映像をディスプレイ装置に表示させるビデオエンコーダと、オーディオデコーダ
から出力された音声データをアナログの音声信号に変換して例えばスピーカに供給するＤ
／Ａ変換器とを備えている。
【００３１】
一方、この情報記録再生装置が光ディスク記録再生装置であれば、記録媒体１０は磁気
テープであり、記録部５は磁気テープに対して映像検波回路３からの映像信号および音声
検波回路４からの音声信号を記録し、再生部９は磁気テープからの映像信号および音声信
号を再生する。
【００３２】
図２は本実施形態においてスロー録画する際に映像データがバッファメモリ６に書き込
まれる状態を説明するための図である。図２において、６１〜７０はバッファメモリ６の
各アドレスを示し、アドレス６１にはスロー録画の最初の１フレーム分の映像データＡが
格納されている。同様に、アドレス６３，６５，６７，６９には、スロー録画のその後の
映像データＢ，Ｃ，Ｄ，Ｅがそれぞれ格納されている。アドレス６２，６４，６６，６８
，７０は、ここでの処理では映像データが記録されていない空きアドレスになっている。
【００３３】
図３は本実施形態においてスロー録画する際に映像データがバッファメモリ６内でコピ
ーされる状態を説明するための図である。図３において、６１〜７０はバッファメモリ６
の各アドレスを示し、アドレス６１には前記スロー録画の処理により１フレーム分の映像
データＡが格納されている。同様に、アドレス６３，６５，６７，６９には、映像データ
Ｂ，Ｃ，Ｄ，Ｅがそれぞれ格納されている。前記スロー録画の処理で空きアドレスになっ
ていたアドレス６２，６４，６６，６８，７０には、コピーされた映像データＡ，Ｂ，Ｃ
，Ｄ，Ｅがそれぞれ格納されている。
【００３４】
図４は本実施形態においてスロー録画する際の処理を説明するためのフローチャートで
ある。このフローチャートを参照してスロー録画する際の処理を説明する。
【００３５】
チューナー２で所望のテレビ番組のチャンネルを選局し、このテレビ番組を録画するた
めに、操作部１１の録画キー（図示せず）を押下すると、システムコントローラ７は記録
部５を動作させる。これにより、記録部５は、映像検波回路３からの映像信号および音声
検波回路４からの音声信号を入力し、所定の信号処理を行って映像データおよび音声デー
タとして記録媒体１０に記録する。また、映像検波回路３からの映像信号は図示しないデ
ィスプレイ装置に供給されて映像化され、音声検波回路４からの音声信号は図示しない音
声アンプを介してスピーカに供給されて音声化される。
【００３６】
ユーザがディスプレイ装置に表示された映像を観ていて、後でスロー再生したいシーン
が現われたとき、このシーンをスロー録画するため、操作部１１のスローキー１１ａを押
下すると（ステップＳ１）、システムコントローラ７の映像データ書込み手段７１は、先
ず、前記シーンの最初の１フレーム分の映像データＡを、図２に示すようにバッファメモ
リ６のアドレス６１に書き込む（ステップＳ２）。
【００３７】
次に、システムコントローラ７のポインタ加算手段７２は、スロー再生の速度に応じて
ポインタ８の数値を加算する（ステップＳ３）。例えば、１／２倍速のスロー再生を行う
場合には、１／２倍速のスロー録画を行わなければならないので、ポインタ８の現数値に
数値２を加算してバッファメモリ６のアドレスを２つ進め、ポインタ８がバッファメモリ
６のアドレス６３を指定できるようにする。そして、スローキー１１ａが未だ押下中なら
ば（ステップＳ４）、前記指定されたアドレス６３に次の１フレーム分の映像データＢが
書き込まれる（ステップＳ２）。
【００３８】
この後、ポインタ８の現数値に数値２を加算して（ステップＳ３）、バッファメモリ６
のアドレスを更に２つ進め、ポインタ８がバッファメモリ６のアドレス６５を指定できる
ようにする。そして、スローキー１１ａが未だ押下中ならば（ステップＳ４）、前記指定
されたアドレス６５に次の１フレーム分の映像データＣが書き込まれる（ステップＳ２）
。このような処理をスローキー１１ａの押下が無くなるまで繰り返し行うことにより、ア
ドレス６７に映像データＤが書き込まれ、アドレス６９に映像データＥが書き込まれる。
【００３９】
そして、スローキー１１ａの押下を止め、押下中でなくなると（ステップＳ４）、シス
テムコントローラ７のコピー手段７３は、飛ばされた空きアドレスに、該空きアドレスの
直前のアドレスの１フレーム分の映像データを順次コピーする（ステップＳ５）。例えば
、図３に示すように、バッファメモリ６のアドレス６１の映像データＡをアドレス６２に
、アドレス６３の映像データＢをアドレス６４に、アドレス６５の映像データＣをアドレ
ス６６に、アドレス６７の映像データＤをアドレス６８に、アドレス６９の映像データＥ
をアドレス７０に、それぞれコピーする。
【００４０】
このようにして全コピーが終了すると（ステップＳ６）、システムコントローラ７の記
録処理手段７５は、バッファメモリ６に格納された映像データＡ，Ａ，Ｂ，Ｂ，Ｃ，Ｃ，
Ｄ，Ｄ，Ｅ，Ｅを記録媒体１０に記録する（ステップＳ７）。この後は、前記映像データ
Ｅに続く映像データは記録部５に一時的に保持されているので、その映像データを引き続
いて記録媒体１０に記録することにより、続きのシーンが再生可能になる。
【００４１】
このような処理で記録された記録媒体１０を再生するとき、ユーザが操作部１１の再生
キー（図示せず）を押下すると、システムコントローラ７は再生部９を動作させ、これに
より、再生部９は、記録媒体１０に記録された映像データおよび音声データを読み出して
映像信号および音声信号を再生する。映像信号はディスプレイ装置に供給されて映像化さ
れ、音声信号は音声アンプを介してスピーカに供給されて音声化される。ここでは、映像
データＡ，Ａ，Ｂ，Ｂ，Ｃ，Ｃ，Ｄ，Ｄ，Ｅ，Ｅに対応する部分の映像は、１／２倍速で
スロー再生されることになる。
【００４２】
このスロー録画処理では、テレビ番組を観ているときに、スロー録画したいシーンがあ
れば、スローキーを押下したが、例えば、他の記録媒体に既に記録されている映像を他の
情報記録再生装置で再生し、本情報記録再生装置で編集するような場合でも、スロー録画
したいシーンがあれば、スローキーを押下することにより、同様なスロー再生が可能にな
る。
【００４３】
したがって、このスロー録画処理によれば、記録中にスロー再生したい映像が現われた
場合、記録中にスローキーを操作すると、その映像データはスロー状態で記録媒体に記録
されるので、再生時には、スローキーを操作することなく、スロー再生を行うことができ
、ユーザにとっては使い勝手が良くなる。
【００４４】
図５は本実施形態において早送り録画する際に映像データがバッファメモリ６に書き込
まれる状態を説明するための図である。図５において、６１，６２，６３はバッファメモ
リ６の各アドレスを示し、アドレス６１には１フレーム分の映像データＡが格納されてい
る。同様に、アドレス６２，６３には、映像データＣ，Ｅがそれぞれ格納されている。
【００４５】
図６は本実施形態において早送り録画する際の処理を説明するためのフローチャートで
ある。このフローチャートを参照して早送り録画する際の処理を説明する。
【００４６】
前述したようにチューナー２で所望のテレビ番組のチャンネルを選局し、このテレビ番
組を録画するために、操作部１１の録画キー（図示せず）を押下すると、システムコント
ローラ７は記録部５を動作させる。これにより、記録部５は、映像検波回路３からの映像
信号および音声検波回路４からの音声信号を入力し、所定の信号処理を行って映像データ
および音声データとして記録媒体１０に記録する。また、映像検波回路３からの映像信号
は図示しないディスプレイ装置に供給されて映像化され、音声検波回路４からの音声信号
は図示しない音声アンプを介してスピーカに供給されて音声化される。
【００４７】
ユーザがディスプレイ装置に表示された映像を観ていて、後で早送り再生したいシーン
が現われたとき、このシーンを早送り録画するため、操作部１１の早送りキー１１ｂを押
下すると（ステップＮ１）、システムコントローラ７の映像データ書込み手段７１は、先
ず、前記シーンの最初の１フレーム分の映像データＡを、図５に示すようにバッファメモ
リ６のアドレス６１に書き込む（ステップＮ２）。
【００４８】
次に、システムコントローラ７の書込み制御手段７４は、予め設定された早送り再生時
の再生速度に応じた所定フレーム数分の映像データを飛ばしてバッファメモリ６のアドレ
スに映像データを順次書き込んでいくように映像データ書込み手段７１を制御する（ステ
ップＮ３）。例えば、早送り再生速度が２倍速であった場合、書込み制御手段７４の制御
により映像データ書込み手段７１は、最初の１フレーム分の映像データＡをバッファメモ
リ６のアドレス６１に書き込み、次に、映像データＡより１フレーム分の映像データが飛
んだ１フレーム分の映像データＣをバッファメモリ６のアドレス６２に書き込む。更に、
映像データＣより１フレーム分の映像データが飛んだ１フレーム分の映像データＥをバッ
ファメモリ６のアドレス６３に書き込む。この処理の場合のポインタ８は、バッファメモ
リ６のアドレス６１，６２，６３を順次指定していくことになる。
【００４９】
このような処理を早送りキー１１ｂの押下が無くなるまで（ステップＮ４）、繰り返し
行うことにより、アドレス６１に映像データＡが書き込まれ、アドレス６２に映像データ
Ｃが書き込まれ、アドレス６１に映像データＥが書き込まれる。
【００５０】
そして、早送りキー１１ｂの押下を止め、早送りキー１１ｂが押下中でなくなると（ス
テップＮ４）、システムコントローラ７の記録処理手段７５は、バッファメモリ６に格納
された映像データＡ，Ｃ，Ｅを記録媒体１０に記録する（ステップＮ５）。この後は、前
記映像データＥに続く映像データは記録部５に一時的に保持されているので、その映像デ
ータを記録媒体１０に記録することにより、続きのシーンが再生可能になる。
【００５１】
このような処理で記録された記録媒体１０を再生するとき、ユーザが操作部１１の再生
キー（図示せず）を押下すると、システムコントローラ７は再生部９を動作させ、これに
より、再生部９は、記録媒体１０に記録された映像データおよび音声データを読み出し、
映像信号および音声信号を再生する。映像信号はディスプレイ装置に供給されて映像化さ
れ、音声信号は音声アンプを介してスピーカに供給されて音声化される。ここでは、映像
データＡ，Ｃ，Ｅに対応する部分の映像は、２倍速で早送り再生されることになる。
【００５２】
この早送り録画処理では、テレビ番組を観ているときに、早送り録画したいシーンがあ
れば、早送りキーを押下したが、例えば、他の記録媒体に既に記録された映像を他の情報
記録再生装置で再生し、本情報記録再生装置で編集するような場合でも、早送り録画した
いシーンがあれば、早送りキーを押下することにより、同様な早送り再生が可能になる。
【００５３】
したがって、この早送り録画処理によれば、記録中に早送り再生したい映像が現われた
場合、記録中に早送りキーを操作すると、その映像データは早送り状態で記録媒体に記録
されるので、再生時には、早送りキーを操作することなく、早送り再生を行うことができ
、ユーザにとっては使い勝手が良くなる。
【００５４】
上記実施形態では、１／２倍速スロー録画および２倍速早送り録画について説明したが
、同様な考え方でバッファメモリへの映像データの格納の仕方を変えることにより、他の
倍速でスロー録画および早送り録画を行うことが可能になる。
【図面の簡単な説明】
【００５５】
【図１】本発明の一実施形態に係る情報記録再生装置の構成を示すブロック図である。
【図２】前記実施形態においてスロー録画する際に映像データがバッファメモリに書き込まれる状態を説明するための図である。
【図３】前記実施形態においてスロー録画する際に映像データがバッファメモリ内でコピーされる状態を説明するための図である。
【図４】前記実施形態においてスロー録画する際の処理を説明するためのフローチャートである。
【図５】前記実施形態において早送り録画する際に映像データがバッファメモリに書き込まれる状態を説明するための図である。
【図６】前記実施形態において早送り録画する際の処理を説明するためのフローチャートである。
【符号の説明】
【００５６】
６    バッファメモリ
７    システムコントローラ
８    ポインタ
１０    記録媒体
１１ａ    スローキー
１１ｂ    早送りキー
７１    映像データ書込み手段
７２    ポインタ加算手段
７３    コピー手段
７４    書込み制御手段
７５    記録処理手段
【図１】
2006040395.tif 000003
【図２】
2006040395.tif 000004
【図３】
2006040395.tif 000005
【図４】
2006040395.tif 000006
【図５】
2006040395.tif 000007
【図６】
2006040395.tif 000008